(57)【要約】【課題】使用者の温熱感覚に応じて便座温度を制御し快適性を損なうこと無く節電を図る暖房便座装置を提供する。【解決手段】便座２と、便座２を加熱する便座加熱手段１７と、前記便座２の表面温度を使用者が便座温度設定手段１１にて任意に設定した便座温度となるよう、前記便座加熱手段１７の発熱量を制御する制御部５と、温風発生装置と、該温風発生装置から供給された温風を２便座の先端方向に送風する吹き出し口８とから構成され、吹き出し口８から温風の送風が開始されると、制御部５は前記便座温度設定手段１１にて設定された便座温度より低い温度を目標として前記便座加熱手段１７の発熱量を制御することを特徴とする。【選択図】  図１
2004173710.tif 000002
【特許請求の範囲】
【請求項１】
便座と、該便座を加熱する便座加熱手段と、前記便座の表面温度を使用者が便座温度設定手段にて任意に設定した便座温度となるよう、前記便座加熱手段の発熱量を制御する制御部と、温風発生装置と、該温風発生装置から供給された温風を前記便座の先端方向に送風する吹き出し口とから構成され、前記吹き出し口から温風の送風が開始されると、前記制御部は前記便座温度設定手段にて設定された便座温度より低い温度を目標として前記便座加熱手段の発熱量を制御することを特徴とする暖房便座装置。
【請求項２】
前記暖房便座装置に、前記吹き出し口から送風される温風の温度を使用者が任意に設定できる温風温度設定手段と、該温風温度設定手段の設定値に応じて前記便座温度設定手段の設定値から低く補正した便座温度を算出する補正演算部とを有し、前記吹き出し口から温風の送風が開始されると、前記制御部は前記補正演算部の演算結果に基づいて前記便座加熱手段の発熱量を制御することを特徴とする請求項１記載の暖房便座装置。
【請求項３】
前記補正演算部は、前記温風温度設定手段の設定値が低くなるにつれて前記便座温度設定手段の設定値から補正する補正温度値を高くしたことを特徴とする請求項２記載の暖房便座装置。
【請求項４】
温風の送風が開始されてから前記温風温度設定手段の設定値が変化しても、前記制御部は送風開始時の前記補正演算部の演算結果に基づいて前記便座加熱手段の発熱量を制御することを特徴とする請求項２乃至３いずれか１項記載の暖房便座装置。
【請求項５】
前記暖房便座装置は使用者が前記便座に着座および離座したことを検出する着座検知手段を有し、温風の送風が開始されてから使用者が前記便座を離座するまで、前記制御部は送風開始時の前記補正演算部の演算結果に基づいて前記便座加熱手段の発熱量を制御することを特徴とする請求項２乃至４いずれか１項記載の暖房便座装置。
【請求項６】
前回使用者が前記便座を離座してから次回使用者が前記便座に着座するまで、前記制御部は前回使用者の送風開始時の前記補正演算部の演算結果に基づいて前記便座加熱手段の発熱量を制御することを特徴とする請求項５記載の暖房便座装置。
【請求項７】
前記暖房便座装置はトイレ室内の温度を検知する室内温度検知手段を有し、トイレ室内の温度が所定の温度以下の時、前記制御部は前記補正演算部の演算結果に係わらず、前記便座温度設定手段の設定値に基づいて前記便座加熱手段の発熱量を制御することを特徴とする請求項２乃至６ずれか１項記載の暖房便座装置。
【請求項８】
前記便座温度設定手段にて設定された温度が設定可能な最高温度の時、前記制御部は前記補正演算部の演算結果に係わらず、前記便座温度設定手段の設定値に基づいて前記便座加熱手段の発熱量を制御することを特徴とする請求項２乃至７いずれか１項記載の暖房便座装置。
【請求項９】
前記温風温度設定手段の設定値に係わらず、前記便座温度設定手段の設定値に基づいて前記便座加熱手段の発熱量を制御する温度制御選択手段を設けたことを特徴とする請求項２乃至８いずれか１項記載の暖房便座装置。
【発明の詳細な説明】
【０００１】
【発明の属する技術分野】
本発明は、便座に着座した使用者の腰および臀部を暖める人体暖房機能を備えた暖房便座装置に関する。
【０００２】
【従来の技術】
従来、冬場などの寒い時期においても使用者がより快適に排便でき且つ電力消費量が少なくて済むように、便座内部に面状ヒータを収納して便座表面を加熱することで使用者が便座に着座した時に便座に接する大腿部や臀部を暖める暖房便座機能と、本体ケースに収納した温風発生装置から供給された温風を便座後方に配置された吹き出し口から使用者が便座に着座した時に便座に接しない人体露出部（腰や臀部）に向かって送風する人体暖房機能とを併備した暖房便座装置が提案されている（例えば、特許文献１参照。）。
【０００３】
【特許文献１】
実開昭６０−１４８３８４号公報（第２−３頁、第１図）
【０００４】
【発明が解決しようとする課題】
通常、暖房便座機能や人体暖房機能には個々に便座温度や温風温度を使用者が任意に設定することができる温度設定手段を有し、温度設定手段の設定値に基づいて各々が独立して温度制御されている。
しかしながら、暖房便座機能と人体暖房機能を各々の温度設定手段の設定値に基づいて同時に動作させてしまうと、使用者は便座に近接する臀部付近において便座から供給される熱と温風から供給される熱によって局所的な熱さを感じ不快となる。
【０００５】
本発明は、上記課題を解決するためになされたもので、使用者の温熱感覚に応じて便座温度を制御し快適性を損なうこと無く節電を図る暖房便座装置を提供することを目的とする。
【０００６】
【課題を解決するための手段および作用・効果】
上記課題を解決する為、請求項１記載の発明は、便座と、該便座を加熱する便座加熱手段と、前記便座の表面温度を使用者が便座温度設定手段にて任意に設定した便座温度となるよう、前記便座加熱手段の発熱量を制御する制御部と、温風発生装置と、該温風発生装置から供給された温風を前記便座の先端方向に送風する吹き出し口とから構成され、前記吹き出し口から温風の送風が開始されると、前記制御部は前記便座温度設定手段にて設定された便座温度より低い温度を目標として前記便座加熱手段の発熱量を制御することを特徴とする暖房便座装置である。
使用者の温熱感覚に関係なく使用者が着座する以前に便座加熱手段の発熱量を制御し便座温度設定手段にて設定された便座温度より低く制御すると、使用者に冷やり感を与える恐れがある。
また、使用者が着座する以前に温風の送風を開始すると、便座表面から熱を奪いその結果便座温度が低下して使用者に冷やり感を与える恐れがある。
従って、使用者が便座に着座してから温風の送風を開始し、それに伴い前記制御部が前記便座加熱手段の発熱量を制御し前記便座温度設定手段にて設定された便座温度より低く制御することにより、使用者は局所的な熱さを感じることなく快適に排便することができ、節電も図れる。
【０００７】
請求項２記載の発明は、前記暖房便座装置に、前記吹き出し口から送風される温風の温度を使用者が任意に設定できる温風温度設定手段と、該温風温度設定手段の設定値に応じて前記便座温度設定手段の設定値から低く補正した便座温度を算出する補正演算部とを有し、前記吹き出し口から温風の送風が開始されると、前記制御部は前記補正演算部の演算結果に基づいて前記便座加熱手段の発熱量を制御することを特徴とする請求項１記載の暖房便座装置である。
人体の皮膚温は人体の中心部に近い部分が高く、末端にいくにつれて徐々に低下している。この現象は冬場のような室温が寒い時により顕著となり、体内の熱を外気に奪われないよう自然に温度調整を行っている。
本発明の暖房便座装置は、使用者が便座に着座した時に便座表面と接触するやや中心部から離れた位置である大腿部裏側および臀部を便座を介して間接的に暖める暖房便座機能と、ほぼ人体の中心部である腰から臀部にかけて直接温風を送風して暖める人体暖房機能とを備え、使用環境や使用者の体調に応じて便座や温風の温度を任意に設定することができる。
従って、温風温度設定手段の設定値から使用者の温熱感覚を把握することが可能となり、温風温度設定手段の設定値に応じて便座温度設定手段の設定値から補正した便座温度を算出する補正演算部にて算出された演算結果に応じて便座加熱手段への通電量を減らし発熱量を減少させることで、使用者の快適性を損なうことなく便座温度設定手段にて設定された便座温度を補正して節電を図ることができる。
便座温度設定手段の設定値に係わらず温風温度設定手段の設定値から便座温度を決定することもできるが、一般的に、女性は冷え性で便座の着座位置も男性より便座先端側に着座する傾向があるため、吹き出し口から送風される温風の温度は男性より高く設定される場合が多い。
そのため、季節やトイレの設置環境によって女性が使用した後に男性が使用すると便座温度が高く不快に感じ、逆に、男性が使用した後に女性が使用すると便座温度が低く寒く感じやすい。
このように性別が異なると、温風を送風する部位の生理的機能や着座位置の相違により送風する温度に大きなバラツキが生じて、風温設定手段の設定値から便座温度を決定していると、使用者の性別や着座位置が異なると便座温度が不必要に変動し使用者に不快感を与える。
従って、一般家庭など男女が兼用するトイレでは温風温度設定手段の設定値に応じて便座温度設定手段にて設定された便座温度を基準として便座温度を補正することで、性別に関係なく快適に排便することができる。
【０００８】
請求項３記載の発明は、前記補正演算部は、前記温風温度設定手段の設定値が低くなるにつれて前記便座温度設定手段の設定値から補正する補正温度値を高くしたことを特徴とする請求項２記載の暖房便座装置である。
人体に送風される温風の温度が高い時は、トイレ室内が寒かったり使用者の体が冷えている状態と推定され、便座温度が極端に低下すると使用者は寒さを感じる。
人体に送風される温風の温度が低い時は、トイレ室内は暖かくもなく寒くもない無感の環境に近く使用者の体もさほど冷えていない状態と推定され、便座温度を極端に低下させても使用者はほとんど寒さを感じることはない。
従って、効率良く節電しようとした場合、温風温度設定手段の設定値が低くなるにつれて便座温度設定手段の設定値から補正する補正温度値を高くすることが好ましく、人体に送風される温風の温度が高い時は補正する補正温度値を小さくし、低い時は補正温度値を高くする。
例えば、使用者が温風温度設定手段にて温風の温度を４０℃に設定している場合は便座設定温度より３〜５℃下げ、６０℃に設定している場合は便座設定温度より１℃下げるようにすることで、効率良く節電しながら使用者は快適に排便することができる。
【０００９】
請求項４記載の発明は、温風の送風が開始されてから前記温風温度設定手段の設定値が変化しても、前記制御部は送風開始時の前記補正演算部の演算結果に基づいて前記便座加熱手段の発熱量を制御することを特徴とする請求項２乃至３いずれか１項記載の暖房便座装置である。
使用者が便座に着座した時、最初は高温の温風で急速に暖め、途中から温度を低くして体から熱が逃げない程度の温風を送風する場合など、送風途中で温度を変更する場合がある。
その際、便座に接触している大腿部や臀部が最適な温度を維持しているにも係わらず、送風温度が低いからと便座温度まで低くしてしまうと、便座が冷えて使用者は寒さを感じる。
本発明は、温風の送風が開始されてから温風温度設定手段の設定値が変化しても、送風途中の温度変化は無視して送風開始時の補正演算部の演算結果に基づいて便座加熱手段の発熱量を制御するため、便座温度が不必要に低下せず使用者は快適に排便することができる。
【００１０】
請求項５記載の発明は、前記暖房便座装置は使用者が前記便座に着座および離座したことを検出する着座検知手段を有し、温風の送風が開始されてから使用者が前記便座を離座するまで、前記制御部は送風開始時の前記補正演算部の演算結果に基づいて前記便座加熱手段の発熱量を制御することを特徴とする請求項２乃至４いずれか１項記載の暖房便座装置である。
使用者の臀部や腰に温風を送風し暖める場合、使用者が便座に着座している間は連続的もしくは断続的に温風を送風することで暖かさを提供する事が好ましいが、使用者の判断により温風の送風を停止した時は、使用者が十分暖まっていると認識することができる。
従って、温風の送風が停止された後でも使用者が便座から離座するまでは便座の温度を便座温度設定手段にて設定された温度より低めにしても使用者に寒さを与えることはないため、送風開始時の補正演算部の演算結果に基づいて便座加熱手段の発熱量を制御して節電することができる。
【００１１】
請求項６記載の発明は、前回使用者が前記便座を離座してから次回使用者が前記便座に着座するまで、前記制御部は前回使用者の送風開始時の前記補正演算部の演算結果に基づいて前記便座加熱手段の発熱量を制御することを特徴とする請求項５記載の暖房便座装置である。
前回使用者が便座に着座し、任意の温度の温風を腰から臀部にかけて直接送風することで使用者の温熱感覚を把握できているため、前回使用者が便座を離座した後も送風開始時の補正演算部の演算結果に基づいて便座加熱手段の発熱量を制御しても、次回使用者が着座する時に違和感を与えること無く着座させることができる。
従って、便座未使用時においても節電でき、さらに省エネを図ることができる。
【００１２】
請求項７記載の発明は、前記暖房便座装置はトイレ室内の温度を検知する室内温度検知手段を有し、トイレ室内の温度が所定の温度以下の時、前記制御部は前記補正演算部の演算結果に係わらず、前記便座温度設定手段の設定値に基づいて前記便座加熱手段の発熱量を制御することを特徴とする請求項２乃至６ずれか１項記載の暖房便座装置である。
トイレ室内の温度が低くなると人体との温度差が大きくなり、便座に着座した大腿部や臀部から奪われる熱量が増加するため、トイレ室内の温度に関係なく節電を優先させて便座温度を設定温度より低くすると使用者に寒さを与える恐れがある。
本発明は、トイレ室内の温度が所定温度（例えば、１０〜１５℃）以下の時、補正演算部の演算結果に係わらず、便座温度設定手段の設定値に基づいて便座加熱手段の発熱量を制御するため、トイレ室内の温度が低い時でも使用者は快適に排便することができる。
【００１３】
請求項８記載の発明は、前記便座温度設定手段にて設定された温度が設定可能な最高温度の時、前記制御部は前記補正演算部の演算結果に係わらず、前記便座温度設定手段の設定値に基づいて前記便座加熱手段の発熱量を制御することを特徴とする請求項２乃至７いずれか１項記載の暖房便座装置である。
便座温度が使用者により最高温度に設定されている場合、使用者が便座からの暖房感をかなり要求していると判断し、補正演算部の演算結果に係わらず便座温度設定手段の設定値に基づいて前記便座加熱手段の発熱量を制御するため、使用者は便座を介して十分な暖かさを得られ快適に排便することができる。。
【００１４】
請求項９記載の発明は、前記補正演算部の演算結果に係わらず、前記便座温度設定手段の設定値に基づいて前記便座加熱手段の発熱量を制御する温度制御選択手段を設けたことを特徴とする請求項２乃至８いずれか１項記載の暖房便座装置である。
使用者の体型や着座位置により、例えば、使用者の身長が低く便座の前方にしか着座できない場合、後方から腰や臀部に温風を送風しても十分に暖められない場合がある。
本発明は、温度制御選択手段により補正演算部の演算結果に係わらず、便座温度設定手段の設定値に基づいて便座温度を制御するため、使用者が温風から満足な暖房感が得られない時でも使用者は快適に排便することができる。
【００１５】
【発明の実施形態】
以下、本発明にかかる暖房便座装置の実施の形態を、図面により詳細に説明する。
図１は本発明の暖房便座装置１を上面からみた透視図である。
図１は本発明のトイレ暖房装置１ａを示す上面図、図２は同、Ａ部の便座２ａ表面を拡大した断面図である。
図１に示す便座暖房装置１は、本体ケース７と、本体ケース７前方に配置した便座２と、便座２表面を加熱するため便座２内部に収納した便座加熱手段１７（面状ヒータ）と、便座２の表面温度を使用者が任意に設定できる便座温度設定手段１１と、本体ケース７側面に配置され空気を送風する送風ファン３と、送風ファン３により送風された空気を加熱し温風とする温風ヒータ４と、片端が本体ケース７側面から突出した送風ダクト６と、温風を便座２の先端方向に送風する吹き出し口として一端が閉塞され他端に設けられた流入口９から温風を流入し便座２幅方向に沿って配置された複数の流出口１０ａ、１０ｂ、１０ｃ、１０ｄ、１０ｅから温風を流出する吹き出しダクト８と、吹き出しダクト８から送風される温風の温度を使用者が任意に設定できる温風温度設定手段１２と、便座加熱手段１７の発熱量と送風ファン３の回転数と温風ヒータ４の発熱量を制御する制御部５と、温風温度設定手段１２の設定値に応じて便座温度設定手段１１の設定値から補正した便座温度を算出する補正演算部１３と、使用者が便座に着座したことを検知する着座検知手段１４と、トイレ室内の温度を検知する室内温度検知手段１５と温風温度設定手段１２の設定値に係わらず便座温度設定手段１１の設定値に基づいて便座加熱手段１７の発熱量を制御する温度制御選択手段１６とから構成される。
【００１６】
本発明の暖房便座装置は、使用者の好みに応じて設定された便座温度設定手段１１の設定値に基づいて便座加熱手段１７の発熱量を制御し、使用者の臀部および大腿部が接触する便座表面を任意の温度に保温する暖房便座機能と、送風ダクト６の通風路には送風ファン３と温風ヒータ４が配置され、本体ケース７側面から突出した送風ダクト６の片端が吹き出しダクト８の他端に設けられた流入口９と連通するよう接続され、吹き出しダクト８側面に配置された流出口１０ａ、１０ｂ、１０ｃ、１０ｄ、１０ｅから送風される温風が便座２前方に向かうよう便座２後方に吹き出しダクト８が配置され、使用者の好みに応じて設定された温風温度設定手段１２の設定値に基づいて温風ヒータ４の発熱量を制御し、使用者の臀部や腰に任意の温度の温風を送風する人体暖房機能を備えている。
【００１７】
かかる構成により、使用者が便座２に着座してから温風温度設定手段１２にて設定された温度の温風の送風を開始し、それに伴い制御部５にて便座加熱手段１７の発熱量を制御し便座温度設定手段１１にて設定された便座温度より低く制御することができる。
その結果、使用者は局所的な熱さを感じることなく快適に排便することができ、節電も図れる。
温風温度設定手段１２による温風温度の設定範囲は暖房効率や安全性を考慮すると、流出口１０付近における温度が体温より少し高い４０℃前後から短時間接触しても火傷することがない６０℃前後が適当であり、効率良く節電しようとした場合、温風温度設定手段１２の設定値が低くなるにつれて便座温度設定手段１１の設定値から補正する補正温度を高くすることが好ましい。
図２に示すように温風温度設定手段１２の設定値が高くなるに連れて便座温度設定手段１１の設定値から補正する補正温度を低くする（パターン１）、または、４０〜４６℃を低温域、４７〜５３℃を中温域、５４〜６０℃を高温域と設定すると、高・中温域においては補正温度をそれぞれ１℃・２℃と固定し、低温域においては３〜１０℃と細分化する（パターン２）ことで、効率良く節電しながら使用者は快適に排便することができる。
温風温度設定手段は使用者がボリュウムやスイッチ類を操作し、温風温度の設定範囲において細かく設定できるようにしても良いし、高（６０℃）・中（５０℃）低（４０℃）と予め区分された温風温度のいずれかを選択しても良い。
【００１８】
次に、本発明の暖房便座装置１の動作について図３のタイミングチャートを用いて説明する。
但し、図３記載のタイミングチャートの時間軸は説明の都合上、簡略的に表現したもので実際は使用環境、使用者により時間軸の長さは異なる。
【００１９】
人体へ温風を送風するタイミングは、使用者が便座２に着座したこと着座検知手段１４（赤外センサー）にて検知して自動的に送風を開始し、排便後に使用者の離座を検知し自動的に送風を停止しても良いし、使用者が便座２に着座してからスイッチ類を操作しその信号を受けて送風を開始し、使用者が排便後または任意の時間が経過した後に再度スイッチ類を操作しその信号を受けて送風を停止しても良い。
ｔ１期間、ｔ７期間、ｔ８期間、ｔ９期間においては使用者が便座２に着座したことを検知してから離座するまでの間、自動的に人体へ温風を送風し、ｔ３期間〜ｔ６期間においては、使用者が便座２に着座している間、任意の時間帯のみ人体へ温風を送風している。
【００２０】
ｔ１期間では、使用者が便座２に着座すると温風の送風が開始されると同時に、補正演算部からの演算結果に基づいて便座加熱手段への通電量が制御され始め、便座温度が３６℃まで低下する。
ここでの補正演算部は、図２のパターン１を元に便座温度設定手段１１の設定値から補正する補正温度を算出しており、温風温度設定手段１２にて設定温度が５０℃と設定されているため、補正温度は２℃と算出して便座温度が便座温度設定手段１１から２℃下げた３６℃となるよう補正演算部１３から制御部５に信号を送信し、便座加熱手段１７への通電量が減少制御される。
このように、温風温度設定手段１２の設定値から使用者の温熱感覚を把握して、使用者が便座２に着座し流出口１０から温風温度設定手段１２にて設定された温度の温風の送風が開始されると、温風温度設定手段１２の設定値に応じて便座温度設定手段１１の設定値から補正した便座温度を算出する補正演算部にて算出された演算結果に応じて便座加熱手段１７への通電量を減らし発熱量を減少させることで、使用者の快適性を損なうことなく便座温度設定手段１１にて設定された便座温度を補正して節電を図ることができる。
【００２１】
そして、使用者が便座２から離座すると同時に温風の送風が停止されるが、次使用者が便座２に着座するまでの間（ｔ２期間）、制御部５は補正演算部１３の演算結果に基づいて継続して便座加熱手段１７の発熱量を制御する。
使用者が便座に着座し、任意の温度の温風を腰から臀部にかけて直接送風することで使用者の温熱感覚を把握できているため、使用者が離座した後も補正演算部１３の演算結果に基づいて便座加熱手段の発熱量を制御しても、次回使用者が着座する時に違和感を与えること無く着座させることができる。
従って、便座未使用時においても節電でき、さらに省エネを図ることができる。
【００２２】
ｔ３期間〜ｔ６期間のように、使用者が便座２に着座している間、任意の時間帯のみ人体へ温風を送風している場合、使用者が便座２に着座する時、補正演算部１３の演算結果に基づいて便座温度が制御されているため違和感無く着座できるが、流出口１０から人体へ温風が送風されていないため、使用者が満足する暖かさを提供できない恐れがある。
従って、使用者が便座２に着座してから任意の時間帯のみ人体へ温風を送風する場合は、便座温度が便座温度設定手段１１の設定値と同温になるよう便座加熱手段１７の発熱量を制御することが好ましく、温風の送風が開始されたら（ｔ４期間）、補正演算部１３の演算結果に基づいて便座加熱手段１７を制御すれば良い。
【００２３】
また、ｔ５期間のように使用者が温風を送風している途中に温風温度設定手段１２を操作して温風の温度を低くした場合でも、送風途中における温度変化は無視して送風開始時の補正演算部１３の演算結果に基づいて便座加熱手段１７の発熱量を制御することで、便座温度が不必要に低下せず使用者は快適に排便することができる。
【００２４】
そして、ｔ６期間のように温風の送風が停止された後でも使用者が便座２から離座するまで、送風開始時の補正演算部１３の演算結果に基づいて便座加熱手段１７の発熱量を制御し便座温度を便座温度設定手段１１にて設定された温度より低めにしても使用者に寒さを与えることはなく、節電することができる。
【００２５】
ｔ７期間において、室内温度検知手段１５にて検出されたトイレ室内の温度が所定の温度以下になると、補正温度は０℃と算出して便座温度が便座温度設定手段１１の設定値となるよう補正演算部１３から制御部５に信号を送信し、便座加熱手段１７への通電量が制御される。
このように、トイレ室内の温度が所定温度（例えば、１０〜１５℃）以下であることを室内温度検知手段（サーミスタ）で検知した時、補正演算部１３の演算結果に係わらず、便座温度設定手段１１の設定値に基づいて便座加熱手段１７の発熱量を制御するため、トイレ室内の温度が低い時でも使用者は快適に排便することができる。
【００２６】
ｔ８期間において、使用者が便座温度設定手段１１にて設定できる最高温度に設定している時、使用者が便座２からの暖房感をかなり要求していると判断し、ｔ７期間と同様に補正演算部１３の演算結果に係わらず、便座温度設定手段１１の設定値に基づいて便座加熱手段１７の発熱量を制御するため、使用者は便座を介して十分な暖かさを得られ快適に排便することができる。。
【００２７】
ｔ９期間において、温度制御選択手段１６により便座温度の補正を強制的に中止し、便座温度設定手段１１の設定値に基づいて便座温度を制御することで、使用者の体型や着座位置により使用者が温風から満足な暖房感が得られない時でも使用者は快適に排便することができる。
温度制御選択手段は照光式押しボタンスイッチを使用し、非点灯時が便座温度を補正する補正モードに、点灯時が便座温度を補正しない非補正モードに設定することで、使用者は容易に便座の制御状態を認識できる。
【００２８】
ｔ１０期間において、温度制御選択手段１６が操作され補正モードに移行した後も、次使用者が便座２に着座し温風の送風が開始されるまで便座温度設定手段１１の設定値に基づいて便座加熱手段１７を制御することで、如何なる使用者が次に着座しても十分な暖房感が得られる。
【００２９】
以上、本発明の実施例について説明したが、本発明は上記の実施例や実施形態になんら限定されるものではなく、本発明の要旨を逸脱しない範囲において種々なる態様で実施し得ることは勿論である。
本実施例においては、吹き出し口として便座後方に吹き出しダクトを配置しているが、吹き出し口を本体ケースに配置して便座中心側に向かい局所的に温風を送風する、便座加熱手段として便座内部に面状ヒータを配置しているが、本体ケースに温風熱源を配置し便座内部に温風を送風して便座を加熱する、など様々な形態が考えられる。
【図面の簡単な説明】
【図１】本発明にかかる暖房便座装置を示す、上面からみた透視図である。
【図２】同、温風温度設定値と補正温度の関係を示すグラフである。
【図３】同、タイミングチャートである。
【符号の説明】
１：暖房便座装置、
２：便座、
３：送風ファン、
４：温風ヒータ、
５：制御部、
６：送風ダクト、
７：本体ケース、
８：吹き出しダクト（吹き出し口）、
９：流入口、
１０（１０ａ、１０ｂ，１０ｃ，１０ｄ，１０ｅ）：流出口、
１１：便座温度設定手段、
１２：温風温度設定手段、
１３：補正演算部、
１４：着座検知手段、
１５：室内温度検知手段、
１６：温度制御選択手段、
１７：便座加熱手段
【図１】
2004173710.tif 000003
【図２】
2004173710.tif 000004
【図３】
2004173710.tif 000005